(57)【要約】【課題】小型化を達成しつつ、過剰な力によって不正規の嵌合姿勢で嵌合操作が行われた場合であっても、相手コネクタの雄端子が損傷されることを防ぐことができるコネクタを提案すること。【解決手段】正規の嵌合姿勢で嵌合操作がされた場合に、相手コネクタ１００の雄端子１１０が端子収容室３１に収容された雌端子１０に接続するために挿入される雄端子挿通孔３１ｂの入口開口３１ａが形成された壁面３０ａに、相手コネクタ１００に正規の嵌合姿勢でない状態で嵌合操作がされた場合に、雄端子１１０が入り込んで逃がす位置に端子収容室３１内に雌端子１０を係止する弾性係止片３２の成形用抜き穴が雄端子逃がし穴３３として設けられたコネクタハウジング２０を有する。【選択図】図８
2018206636.tif 000002
【特許請求の範囲】
【請求項１】
正規の嵌合姿勢で嵌合操作がされた場合に、相手コネクタの雄端子が端子収容室に収容された雌端子に接続するために挿入される雄端子挿通孔の入口開口が形成された壁面に、前記相手コネクタに正規の嵌合姿勢でない状態で嵌合操作がされた場合に、前記雄端子が入り込んで逃がす位置に前記端子収容室内に前記雌端子を係止する前記弾性係止片の成形用抜き穴が雄端子逃がし穴として設けられたコネクタハウジング
を有することを特徴とするコネクタ。
【発明の詳細な説明】
【技術分野】
【０００１】
本発明は、コネクタハウジングに設けられた端子収容室内に弾性係止片によって雌端子が係止されるコネクタに関する。
【背景技術】
【０００２】
従来、雌端子が設けられたコネクタと、雄端子が設けられた相手コネクタとは、相手コネクタに不正規な姿勢での嵌合を検する嵌合リブを設けることによって不正規な姿勢で嵌合されることを防止するようになっている。
【０００３】
例えば、特許文献１には、相手コネクタとの嵌合時に、コネクタハウジングの嵌合姿勢が正規な姿勢から傾いた不正規な姿勢をとった場合に、相手コネクタのコネクタハウジングの嵌合リブに干渉することでそれ以上の嵌合操作を規制するこじり防止部が設けられたコネクタが記載されている。
【先行技術文献】
【特許文献】
【０００４】
【特許文献１】特開２００９−１８１７１７号公報
【発明の概要】
【発明が解決しようとする課題】
【０００５】
しかしながら、特許文献１に記載されたコネクタは、こじり防止部をコネクタハウジングに設ける必要があり、コネクタの寸法が大きくなってしまう問題があった。
また、最近のコネクタの小型化の要求の結果、コネクタの強度が不足した場合、雄端子が設けられた相手コネクタに嵌合リブを設けていたとしても、過剰な力で不正規の姿勢で嵌合操作が行われ、結果的に、雄端子がコネクタの壁にぶつかることによって損傷してしまうおそれがあった。
【０００６】
本発明は、上記に鑑みてなされたものであって、小型化を達成しつつ、過剰な力によって不正規の嵌合姿勢で嵌合操作が行われた場合であっても、相手コネクタの雄端子が損傷されることを防ぐことができるコネクタを提案することを目的とする。
【課題を解決するための手段】
【０００７】
上述した課題を解決し、目的を達成するために、本発明の請求項１に係るコネクタは、正規の嵌合姿勢で嵌合操作がされた場合に、相手コネクタの雄端子が端子収容室に収容された雌端子に接続するために挿入される雄端子挿通孔の入口開口が形成された壁面に、前記相手コネクタに正規の嵌合姿勢でない状態で嵌合操作がされた場合に、前記雄端子が入り込んで逃がす位置に前記端子収容室内に前記雌端子を係止する前記弾性係止片の成形用抜き穴が雄端子逃がし穴として設けられたコネクタハウジングを有することを特徴とする。
【発明の効果】
【０００８】
本発明の請求項１に係るコネクタは、前記相手コネクタに正規の嵌合姿勢でない状態で嵌合操作がされた場合に、前記雄端子が入り込んで逃がす位置に前記端子収容室内に前記雌端子を係止する前記弾性係止片の成形用抜き穴が雄端子逃がし穴として設けられているので、前記雄端子が前記コネクタの壁にぶつかることを防ぐことができる。しかも、前記雄端子逃がし穴が前記弾性係止片の成形用抜き穴を利用するものであるため、寸法の増加をともなわないので、小型化を達成しつつ、過剰な力によって不正規の嵌合姿勢で嵌合操作が行われた場合であっても、相手コネクタの雄端子が損傷されることを防ぐことができる。
【図面の簡単な説明】
【０００９】
【図１】図１は、本発明の実施例に係るコネクタの分解斜視図である。
【図２】図２は、（ａ）がコネクタの斜視図であり、（ｂ）が雄端子逃がし穴周辺の拡大図である。
【図３】図３は、端子収容室の断面図である。
【図４】図４は、（ａ）が相手コネクタの斜視図であり、（ｂ）が（ａ）に示した相手コネクタの嵌合部周辺の拡大図である。
【図５】図５は、嵌合部を嵌合口側から視た図である。
【図６】図６は、コネクタと相手コネクタとが正規の嵌合姿勢で嵌合完了された状態の断面図である。
【図７】図７は、端子付き電線の斜視図である。
【図８】図８は、（ａ）が相手コネクタの嵌合リブにコネクタの端子収容部がぶつかった状態を示した図であり、（ｂ）が嵌合リブによる検知位置よりも深い位置までコネクタと相手コネクタとの嵌合が進んだ状態を示した図である。
【図９】図９は、図８（ｂ）の雄端子逃がし穴周辺を拡大した図である。
【発明を実施するための形態】
【００１０】
以下、図面を参照して、本発明に係るコネクタの好適な実施例を詳細に説明する。
【実施例】
【００１１】
図１は、本発明の実施例に係るコネクタ１の分解斜視図である。図２は、（ａ）がコネクタ１の斜視図であり、（ｂ）が雄端子逃がし穴３３周辺の拡大図である。図３は、端子収容室３１の断面図である。図４は、（ａ）が相手コネクタ１００の斜視図であり、（ｂ）が（ａ）に示した相手コネクタ１００の嵌合部１４０周辺の拡大図である。図５は、嵌合部１４０を嵌合口側から視た図である。図６は、コネクタ１と相手コネクタ１００とが正規の嵌合姿勢で嵌合完了された状態の断面図である。図７は、端子付き電線８０の斜視図である。
なお、図６および図８は、スペーサ６０を外した図となっている。
本発明の実施例に係るコネクタ１は、例えば、車載カメラの電気的な接続に用いられるものである。
【００１２】
このコネクタ１は、雌端子１０が収容される複数の端子収容室３１が設けられたコネクタハウジング２０と、端子収容室３１内に収容される複数の雌端子１０と、端子収容室３１内に収容された雌端子１０を係止するスペーサ６０と、コネクタ１が接続される相手コネクタ１００との嵌合部分を相手コネクタ１００が嵌合された状態で防水可能に封止するシールリング７０と、を有する。
なお、この実施例では、６つの雌端子１０が６つの各端子収容室３１に収容されるものを例示したが、雌端子１０および雌端子１０の数に対応して設けられる端子収容室３１の数は６つに限らず１つ以上であればよい。
【００１３】
まず、雌端子１０について説明する。
雌端子１０は、図７に示すように、電線Ｗの端末部に防水用のゴム栓Ｐとともに取り付けられている。
すなわち、雌端子１０は、電線Ｗの端末部に取り付けられることによって端子付き電線８０の一部を構成している。
この雌端子１０は、雄端子１１０が接続される部分となる相手端子接続部１１と、電線Ｗに接続される部分となる電線接続部１５と、相手端子接続部１１と電線接続部１５との間を連結する連結部１６と、を有する。
【００１４】
相手端子接続部１１は、底壁１２と、一対の側壁１３、１３と、天井壁１４とを有し、隣り合う壁が略直角に屈曲された４角筒状をなしている。
この相手端子接続部１１は、筒内に雄端子１１０が挿入されることによって雄端子１１０と接続されるようになっている。
【００１５】
底壁１２は、内面に雄端子１１０に接続される部分となる弾性接触片１２ａが設けられ、外面に端子収容室３１に設けられた弾性係止片３２の先端部周辺が入り込む切欠き部１２ｂと、切欠き部１２ｂの前側の内縁面１２ｂｂに連続した後端面１２ｃｃを形成された係止突起１２ｃと、が設けられている。
【００１６】
係止突起１２ｃは、後端面１２ｃｃが、雌端子１０が端子挿入口３１ａ側に移動された場合に、切欠き部１２ｂに入り込んだ弾性係止片３２の先端部周辺に当接される面を切欠き部１２ｂの前側の内縁面１２ｂｂに加えてさらに拡大させる面になっている。
【００１７】
次に、コネクタハウジング２０について説明する。
コネクタハウジング２０は、絶縁性の合成樹脂材からなり、６つの端子収容室３１が設けられた矩形ブロック状の端子収容部３０と、端子収容部３０の相手コネクタ１００との嵌合側端部外周面との間に間隔をあけて覆うフード部４０と、相手コネクタ１００との嵌合完了状態をロックする嵌合ロックアーム５０と、を有する。
【００１８】
端子収容部３０は、内部に６つの端子収容室３１が２行３列に並んで設けられ、外周面に相手コネクタ１００の後述する嵌合リブ１４２に対応したガイド溝３４が形成されている。
端子収容室３１は、図３に示すように、雌端子１０が挿入される端子挿入口３１ａから雄端子１１０が挿入される雄端子挿通孔３１ｂまで貫通された空間を形成している。
この端子収容室３１は、雌端子１０の挿入方向Ｄに直交方向の内部壁面形状が雌端子１０の横断面形状に対応して矩形状をなし、図３中下面側の内壁面３１ｃに弾性係止片３２が設けられている。
【００１９】
弾性係止片３２は、端子収容室３１の下面側の内壁面３１ｃに固定端が設けられ、雌端子１０を係止する部分となる自由端が先端を斜め前方に向けた状態で弾性的に中立位置になるように端子収容室３１の内壁面に突設されている。
【００２０】
また、端子収容部３０は、コネクタ１が相手コネクタ１００に正規の嵌合姿勢でない状態で嵌合操作がされた場合に、雄端子１１０が逃がされる雄端子逃がし穴３３が設けられている。
【００２１】
雄端子逃がし穴３３は、正規の嵌合姿勢で嵌合操作がされた場合に、相手コネクタ１００の雄端子１１０が端子収容室３１に収容された雌端子１０に接続するために挿入される雄端子挿通孔３１ｂの入口開口３１ｂｂが形成された壁面３０ａに、相手コネクタ１００に正規の嵌合姿勢でない状態で嵌合操作がされた場合に、雄端子１１０が入り込んで逃がす位置に端子収容室３１内に雌端子１０を係止する弾性係止片３２の成形用抜き穴が雄端子１１０を逃がす穴として設けられたものである。
【００２２】
この雄端子逃がし穴３３は、図２に示すように、端子収容部３０の雄端子挿通孔３１ｂの入口開口３１ｂｂが形成された壁面３０ａに入口開口３１ｂｂの下方に並んで設けられている。
すなわち、端子収容部３０の壁面３０ａには、６つの雄端子逃がし穴３３が２行３列に並んで設けられた端子収容室３１に対応して、各雄端子挿通孔３１ｂの入口開口３１ｂｂの下方に２行３列に並んで設けられている。
【００２３】
また、雄端子逃がし穴３３は、図３に示すように、雄端子挿通孔３１ｂの入口開口３１ｂｂが形成された壁面３０ａから弾性係止片３２まで連続した空間を形成している。
【００２４】
フード部４０は、相手コネクタ１００との嵌合完了状態で相手コネクタ１００の後述する筒状本体部１４１が端子収容部３０の嵌合側端部外周面との間の隙間に挿入配置されることによって、筒状本体部１４１の外周面に沿って壁が配置されるようになっている。
【００２５】
嵌合ロックアーム５０は、図６に示すように、端子収容部３０の端子挿入口３１ａ側の端部外面に固定端が立設され、嵌合方向に自由端をアーム状に延ばした一対のアーム部５１、５１と、一対のアーム部５１、５１の先端部分を橋渡すように連結し、コネクタ１の後述するロック突起１４３に引っ掛かる部分となるロック用連結部５２と、を有する。
【００２６】
スペーサ６０は、コネクタハウジング２０とは別部品として構成され、コネクタハウジング２０に設けられた端子収容室３１に通じる開口を通して装着されることによって、端子収容室３１内に収容された各雌端子１０を係止するようになっている。
すなわち、スペーサ６０は、端子収容室３１に設けられた弾性係止片３２と合わせて雌端子１０を係止する２重係止の機能をなしている。尚、図６と図８ではスペーサ６０を外した図となっている。
【００２７】
シールリング７０は、ゴム等の環状弾性材からなり、端子収容部３０の基端位置に固定される。
【００２８】
ここで相手コネクタ１００について説明する。
相手コネクタ１００は、相手コネクタハウジング１２０と、６つの雌端子１０に接続される６つの雄端子１１０を有する。
相手コネクタハウジング１２０は、絶縁性の合成樹脂材からなり、図４に示すように、カメラ部品の収容部分の一部を構成するカバー部１３０と、コネクタハウジング２０と嵌合する部分となる嵌合部１４０と、を有する。
【００２９】
嵌合部１４０は、コネクタ１との嵌合完了状態で端子収容部３０の嵌合側端部外周面を包囲するように配置される有底の筒状本体部１４１と、正規の姿勢で嵌合されていないことを検知するための嵌合リブ１４２と、コネクタ１との嵌合完了状態をロックするため嵌合ロックアーム５０と係合されるロック突起１４３と、６つの雄端子１１０を保持する雄端子保持部１４４と、を有する。
【００３０】
嵌合リブ１４２は、筒状本体部１４１の開口端縁面１４１ａから所定の幅内方に下がった位置から嵌合方向に沿って筒状本体部１４１の底面まで延びるリブであり、筒状本体部１４１の筒内周面の複数箇所に設けられている。
なお、嵌合リブ１４２は、雄端子１１０の先端よりも筒状本体部の開口寄りの位置に端部が位置されるようになっている。
【００３１】
ロック突起１４３は、筒状本体部１４１の外面に突設され、コネクタ１の嵌合ロックアーム５０のロック用連結部５２が引っ掛かりロックされる部分である。
【００３２】
雄端子保持部１４４は、嵌合部１４０の底面を形成する壁に雄端子１１０が圧入されるように形成された貫通孔である。
この雄端子保持部１４４は、図５に示すように、コネクタ１の端子収容部３０に収容された６つの雌端子１０に対応して２行３列に並んで設けられている。
【００３３】
ここで、コネクタ１と相手コネクタ１００とが正規の嵌合姿勢で嵌合操作が行われることによって、嵌合完了される手順と各部の作用について説明する。
まず、コネクタ１の端子収容部３０の嵌合側端部が相手コネクタ１００の筒状本体部１４１の開口から筒状本体部１４１内に嵌め込み開始される。
すると、端子収容部３０の外周に形成された各ガイド溝３４が対応する嵌合リブ１４２に嵌り、コネクタ１が相手コネクタ１００との嵌合完了位置までガイド溝３４と嵌合リブ１４２との嵌め合いを保ったまま嵌合方向に移動される。
このとき、相手コネクタ１００の各雄端子１１０は、対応する雌端子１０が収容された端子収容室３１の雄端子挿通孔３１ｂを通して端子収容室３１内に挿入され、さらに、雌端子１０の相手端子接続部１１内に挿入される。
【００３４】
コネクタ１が相手コネクタ１００との嵌合完了位置に到達すると、図６に示すように、各端子収容室３１内の雌端子１０と、対応する雄端子１１０とがそれぞれ接続されるとともに、コネクタ１が相手コネクタ１００とが嵌合ロックアーム５０とロック突起１４３とによって嵌合完了状態でロックされる。
【００３５】
次に、図８および図９を用いて、コネクタ１と相手コネクタ１００とが不正規の嵌合姿勢で嵌合操作が行われた場合であっても、雄端子１１０が損傷されないことを説明する。
図８は、（ａ）が相手コネクタ１００の嵌合リブ１４２にコネクタ１の端子収容部３０がぶつかった状態を示した図であり、（ｂ）が嵌合リブ１４２による検知位置よりも深い位置までコネクタと相手コネクタ１００との嵌合が進んだ状態を示した図である。
図９は、図８（ｂ）の雄端子逃がし穴３３周辺を拡大した図である。
コネクタ１と相手コネクタ１００とが不正規の嵌合姿勢で嵌合操作がされた場合、コネクタ１の端子収容部３０が相手コネクタ１００の筒状本体部１４１内へ嵌め込まれる途中で、図８（ａ）に示すように、コネクタ１の端子収容部３０の端部が相手コネクタ１００の嵌合リブ１４２にぶつかる。
この状態でコネクタ１に端子収容部３０を筒状本体部１４１の内方へ押し込む過剰な力が負荷されると、端子収容部３０の端部によって筒状本体部１４１が筒内を押し広げるように変形され、図８（ｂ）に示すように、嵌合リブ１４２の先端より内方に端子収容部３０が入り込んでしまう。
【００３６】
このように、コネクタ１と相手コネクタ１００とが不正規の嵌合姿勢で嵌合操作が行われ、相手コネクタ１００の嵌合リブ１４２による検知位置よりも深い位置までコネクタ１と相手コネクタ１００との嵌合が進んだ状態になると、図８（ｂ）および図９に示すように、各雄端子１１０が雄端子逃がし穴３３に入り込む。
このため、各雄端子１１０が端子収容部３０の壁面にぶつかって損傷することが防止されるようになっている。
【００３７】
本発明の実施例に係るコネクタ１は、相手コネクタ１００に正規の嵌合姿勢でない状態で嵌合操作がされた場合に、雄端子１１０が入り込んで逃がす位置に端子収容室３１内に雌端子１０を係止する弾性係止片３２の成形用抜き穴が雄端子逃がし穴３３として設けられているので、雄端子１１０がコネクタ１の壁にぶつかることを防ぐことができる。しかも、雄端子逃がし穴３３が弾性係止片３２の成形用抜き穴を利用するものであるため、寸法の増加をともなわないので、小型化を達成しつつ、過剰な力によって不正規の嵌合姿勢で嵌合操作が行われた場合であっても、相手コネクタ１００の雄端子１１０が損傷されることを防ぐことができる。
【００３８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３９】
１              コネクタ
１０            雌端子
１１            相手端子接続部
１２            底壁
１２ａ          弾性接触片
１２ｂ          切欠き部
１２ｂｂ        内縁面
１２ｃ          係止突起
１２ｃｃ        後端面
１３            側壁
１４            天井壁
１５            電線接続部
１６            連結部
２０            コネクタハウジング
３０            端子収容部
３０ａ          壁面
３１            端子収容室
３１ａ          端子挿入口
３１ｂ          雄端子挿通孔
３１ｂｂ        入口開口
３１ｃ          内壁面
３２            弾性接触片
３３            雄端子逃がし穴
３４            ガイド溝
４０            フード部
５０            嵌合ロックアーム
５１            アーム部
５２            ロック用連結部
６０            スペーサ
７０            シールリング
８０            端子付き電線
１００          相手コネクタ
１１０          雄端子
１２０          相手コネクタハウジング
１３０          カバー部
１４０          嵌合部
１４１          筒状本体部
１４１ａ        開口縁面
１４２          嵌合リブ
１４３          ロック突起
１４４          雄端子保持部
Ｗ              電線
Ｐ              ゴム栓
【図１】
2018206636.tif 000003
【図２】
2018206636.tif 000004
【図３】
2018206636.tif 000005
【図４】
2018206636.tif 000006
【図５】
2018206636.tif 000007
【図６】
2018206636.tif 000008
【図７】
2018206636.tif 000009
【図８】
2018206636.tif 000010
【図９】
2018206636.tif 000011